(57)【要約】【課題】  左右のタイロッド１５に設けた荷重センサ３０Ｌ、３０Ｒの出力信号からラック軸力を算出して転舵アシスト制御を行う電動パワーステアリング装置において、荷重センサ３０Ｌ、３０Ｒの異常を良好に検出する。【解決手段】  左右の荷重センサ３０Ｌ、３０Ｒのセンサ出力を比較し、一方のセンサ出力が変化しているときに他方のセンサ出力が固定されているとき、あるいは、左右の荷重センサ３０Ｌ、３０Ｒのセンサ出力が両方とも正または負の値をとった場合には、どちらかの荷重センサ３０Ｌ（Ｒ）が故障であると判断する。更に、ヨーレイトセンサ５０のセンサ出力と荷重センサ３０Ｌ、３０Ｒのセンサ出力との比較により、故障している側の荷重センサ３０Ｌ（Ｒ）を特定することもできる。【選択図】  図１
2007145040.tif 000002
【特許請求の範囲】
【請求項１】
左右両側に転舵輪を連結して上記転舵輪を転舵する転舵機構と、
上記転舵機構に転舵力を付与する電動アクチュエータと、
右転舵輪から上記転舵機構に加わる荷重の大きさをその荷重の方向とあわせて検出する右荷重センサと、左転舵輪から上記転舵機構に加わる荷重の大きさをその荷重の方向とあわせて検出する左荷重センサとを有する荷重検出手段と、
少なくとも上記検出した２つの荷重センサの検出値に基づいて上記電動アクチュエータを駆動する転舵力制御手段と
を備えた電動操舵装置において、
上記左荷重センサの検出値と上記右荷重センサの検出値とを比較して上記荷重検出手段の異常を判定するセンサ異常検出手段を備えたことを特徴とする電動操舵装置。
【請求項２】
上記センサ異常検出手段は、上記右荷重センサで検出した荷重の方向と上記左荷重センサで検出した荷重の方向とが同じ方向である場合には、左右いずれか一方の荷重センサが異常であると判定することを特徴とする請求項１記載の電動操舵装置。
【請求項３】
上記センサ異常検出手段は、所定期間内における左右の荷重センサの検出荷重量の変化量を比較して、上記変化量の差が基準値以上である場合には、左右いずれか一方の荷重センサが異常であると判定することを特徴とする請求項１記載の電動操舵装置。
【請求項４】
上記センサ異常検出手段は、一方の荷重センサの検出荷重量に対する他方の荷重センサの検出荷重量の比を算出し、上記算出された検出荷重量の比が所定の基準値以上である場合には、左右いずれか一方の荷重センサが異常であると判定することを特徴とする請求項１記載の電動操舵装置。
【請求項５】
左右両側に転舵輪を連結して上記転舵輪を転舵する転舵機構と、
上記転舵機構に転舵力を付与する電動アクチュエータと、
右転舵輪から上記転舵機構に加わる左右方向の荷重の大きさをその荷重の方向とあわせて検出する右荷重センサと、左転舵輪から上記転舵機構に加わる左右方向の荷重の大きさをその荷重の方向とあわせて検出する左荷重センサとを有する荷重検出手段と、
少なくとも上記検出した２つの荷重センサの検出値に基づいて上記電動アクチュエータを駆動する転舵力制御手段と
を備えた電動操舵装置において、
車両の旋回挙動を検出する旋回挙動検出手段と、
上記旋回挙動検出手段で検出した検出値と上記左右の荷重センサの各検出値とに基づいて、上記荷重検出手段の異常を判定するセンサ異常検出手段を備えたことを特徴とする電動操舵装置。
【請求項６】
上記転舵力制御手段は、
上記センサ異常検出手段により上記荷重検出手段の異常が検出された場合に、一連の転舵動作が終了するまでは異常と判定されていない側の荷重センサの出力値のみに基づいて転舵力を制御し、上記一連の転舵動作終了後は、上記荷重検出手段の出力値に基づく制御を中止する請求項１ないし請求項５のいずれかに記載の電動操舵装置。
【発明の詳細な説明】
【技術分野】
【０００１】
本発明は、操舵ハンドルの回動操作に応じて電動アクチュエータにより転舵輪に転舵力を付与する電動操舵装置に関する。
【背景技術】
【０００２】
従来から、この種の電動操舵装置としては、操舵ハンドルの回動操作に対して操舵アシスト力を付与する電動パワーステアリング装置や、操舵ハンドルとステアリングギヤボックスとの機械的接続を断ち操舵ハンドル操作に応じて車輪を転舵するステア・バイ・ワイヤ式操舵装置が知られている。
こうした電気操舵装置の１つとして、ラックバーとタイロッドとの左右の連結部に、転舵輪から加わる荷重を検出する荷重センサを設け、この左右の荷重センサの検出出力に基づいて電動モータを駆動して、適切な転舵力を発生するようにしたものが知られている（特許文献１）。
また、左右のタイロッドに設けた荷重センサの出力を比較して、その偏差が所定範囲外である場合に、片方の転舵輪が縁石に当接していると判断して、荷重検出値の少ない側の検出結果に基づいて電動モータを駆動制御することで電動モータに過電流が流れてしまうことを防止したものも知られている（特許文献２）。
【特許文献１】特開平１１−３２１６８５
【特許文献２】特開平１０−２１７９８８
【０００３】
ところが、こうした左右の荷重センサの出力に基づいてラック軸力を算出し、このラック軸力に応じて転舵力を制御するものでは、荷重センサ自身が故障した場合には、所望の転舵力を発生させることができなくなる可能性がある。
例えば、電動パワーステアリング装置において、荷重センサの出力信号が正常時に対して大きな値をとった場合には、転舵アシスト力を制御する制御システムが電動モータに対して過大な駆動信号を出力してしまい、意図しないステアリング動作が行われることがある。
逆に、荷重センサの出力が正常時に対して小さくなった場合には、電動モータへの通電量が過小となり、転舵アシストトルクが不足してハンドル操作が重くなる。
また、仮に何らかの形で荷重センサの故障を検出できたとしても、その故障検出に基づいてそのまま操舵アシスト制御動作を停止してしまうと、転舵アシスト力が得られなくなってハンドル操作が極端に重くなってしまう。
特に最近では、電動パワーステアリング装置が大型車両にも搭載されつつあり、アシスト分担比率が大きくなってきているため、アシスト制御の停止時にはドライバーへの負担が非常に大きくなってしまう。
【発明の開示】
【０００４】
本発明の目的は、上記問題に対処するためになされたもので、左右の転舵輪から加わる荷重を検出する荷重センサの異常を良好に検出すること、および異常検出時に適切に対処することを目的とする。
【０００５】
上記目的を達成するために、本発明の特徴は、左右両側に転舵輪を連結して上記転舵輪を転舵する転舵機構と、上記転舵機構に転舵力を付与する電動アクチュエータと、右転舵輪から上記転舵機構に加わる荷重の大きさをその荷重の方向とあわせて検出する右荷重センサと、左転舵輪から上記転舵機構に加わる荷重の大きさをその荷重の方向とあわせて検出する左荷重センサとを有する荷重検出手段と、少なくとも上記検出した２つの荷重センサの検出値に基づいて上記電動アクチュエータを駆動する転舵力制御手段とを備えた電動操舵装置において、上記左荷重センサの検出値と上記右荷重センサの検出値とを比較して上記荷重検出手段の異常を判定するセンサ異常検出手段を備えたことにある。
【０００６】
上記のように構成した本発明においては、左右の転舵輪から転舵機構に加わる荷重の大きさ及び方向を左右の荷重センサにより検出し、その荷重センサの検出値に基づいて電動アクチュエータを駆動して転舵力を制御する。例えば、左右の転舵輪からラックバーやタイロッドといった転舵軸に加わる荷重の大きさ及び方向（圧縮方向、引っ張り方向）を検出し、その左右の検出値からラック軸力を求め、このラック軸力に対応して電動アクチュエータを駆動制御する。
そして、センサ異常検出手段は、左荷重センサの検出値と右荷重センサの検出値とを比較して荷重検出手段の異常を判定する。例えば、左右輪の路面状態（摩擦係数）が略等しいとすれば、左右の荷重センサの検出値の大きさや方向は相関関係を有する。従って、この検出値を比較することで荷重検出手段の異常を簡単に判定することができる。
この結果、荷重センサの検出値に基づく転舵力制御の安全性および信頼性が向上する。
【０００７】
また、本発明の他の特徴は、上記センサ異常検出手段は、上記右荷重センサで検出した荷重の方向と上記左荷重センサで検出した荷重の方向とが同じ方向である場合には、左右いずれか一方の荷重センサが異常であると判定することにある。
【０００８】
左右の荷重センサが正常であれば、転舵輪が転舵されているときに転舵輪から転舵機構に加わる荷重の方向は、左右において互いに逆方向になる。つまり、一方の荷重センサは圧縮方向に、他方の荷重センサは引っ張り方向に荷重が加わる。
そこで、この発明においては、左右の荷重センサの検出方向が同じ方向である場合には、いずれか一方の荷重センサが異常であると判定する。
従って、荷重検出手段の異常を極めて簡単に検出することができる。
【０００９】
また、本発明の他の特徴は、上記センサ異常検出手段は、所定期間内における左右の荷重センサの検出荷重量の変化量を比較して、上記変化量の差が基準値以上である場合には、左右いずれか一方の荷重センサが異常であると判定することにある。
【００１０】
左右の荷重センサが正常であれば、転舵輪が転舵されているときに転舵輪から転舵機構に加わる荷重量（荷重の大きさ）は、左右において似通った大きさで変動する。つまり、一方の荷重センサの検出荷重量が大きく変動すれば、他方の荷重センサの検出荷重量も大きく変動する。
そこで、この発明においては、左右の荷重センサの検出荷重変化量を比較し、その差が基準値以上である場合には、いずれか一方の荷重センサが異常であると判定する。
従って、荷重検出手段の異常を極めて簡単に検出することができる。
【００１１】
また、本発明の他の特徴は、上記センサ異常検出手段は、一方の荷重センサの検出荷重量に対する他方の荷重センサの検出荷重量の比を算出し、上記算出された検出荷重量の比が所定の基準値以上である場合には、左右いずれか一方の荷重センサが異常であると判定することにある。
【００１２】
左右の荷重センサが正常であれば、転舵輪が転舵されているときに転舵輪から転舵機構に加わる荷重量（荷重の大きさ）は、左右において似通った大きさとなる。つまり、一方の荷重センサの検出荷重量（絶対値）が大きけば、他方の荷重センサの検出荷重量も大きな値をとる。
そこで、この発明においては、左右の荷重センサの検出荷重量の比を算出し、その比が基準値以上である場合には、いずれか一方の荷重センサが異常であると判定する。
従って、荷重検出手段の異常を簡単に検出することができる。
【００１３】
また、本発明の他の特徴は、左右両側に転舵輪を連結して上記転舵輪を転舵する転舵機構と、上記転舵機構に転舵力を付与する電動アクチュエータと、右転舵輪から上記転舵機構に加わる左右方向の荷重の大きさをその荷重の方向とあわせて検出する右荷重センサと、左転舵輪から上記転舵機構に加わる左右方向の荷重の大きさをその荷重の方向とあわせて検出する左荷重センサとを有する荷重検出手段と、少なくとも上記検出した２つの荷重センサの検出値に基づいて上記電動アクチュエータを駆動する転舵力制御手段とを備えた電動操舵装置において、車両の旋回挙動を検出する旋回挙動検出手段と、上記旋回挙動検出手段で検出した検出値と上記左右の荷重センサの各検出値とに基づいて、上記荷重検出手段の異常を判定するセンサ異常検出手段を備えたことにある。
【００１４】
上記のように構成した本発明においては、左右の転舵輪から転舵機構に加わる荷重の大きさ及び方向を左右の荷重センサにより検出し、その荷重センサの検出値に基づいて電動アクチュエータを駆動して転舵力を制御する。例えば、左右の転舵輪からラックバーやタイロッドといった転舵軸に加わる荷重の大きさ及び方向（圧縮方向、引っ張り方向）を検出し、その左右の検出値からラック軸力を求め、このラック軸力に対応して電動アクチュエータを駆動制御する。
この場合、例えば、車両が右旋回中であれば、左荷重センサには圧縮方向の荷重が検出され、右荷重センサには引っ張り方向の荷重が検出される。逆に、車両が左旋回中であれば、左荷重センサには引っ張り方向の荷重が検出され、右荷重センサには圧縮方向の荷重が検出される。
【００１５】
そこで、センサ異常検出手段は、旋回挙動検出手段で検出した検出値と左右の左荷重センサの検出値とに基づいて荷重センサの異常を判定する。例えば、車両の旋回中に左右の荷重センサの検出荷重量がゼロである場合には、その荷重センサを異常と判定できる。また、荷重センサが車両の旋回方向に応じた方向の検出信号を出力しない場合にも、その荷重センサを異常と判断できる。従って、異常となる荷重センサを特定することができる。
この結果、荷重センサの異常を簡単に精度よく検出することができ、転舵力制御の安全性および信頼性が向上する。
尚、旋回挙動検出手段としては、車体のヨー角速度を検出するヨーレイトセンサ、車体の横加速度を検出する横加速度センサ、操舵ハンドルの操舵角を検出する操舵角センサなどを用いることができる。
【００１６】
また、本発明の他の特徴は、上記転舵力制御手段は、上記センサ異常検出手段により上記荷重検出手段の異常が検出された場合に、一連の転舵動作が終了するまでは異常と判定されていない側の荷重センサの出力値のみに基づいて転舵力を制御し、上記一連の転舵動作終了後は、上記荷重検出手段の出力値に基づく制御を中止することにある。
【００１７】
これによれば、荷重検出手段の異常が検出された場合であっても、異常と判定されていない側の荷重センサの出力のみに基づいて、一連の転舵動作が終了するまで転舵力制御が継続されるため、その間、所定の転舵力が得られ安全性と運転操作性とを両立することができる。
つまり、ハンドル操作途中において荷重検出手段の異常が検出されても、異常が判定されていない側の荷重センサの出力に基づいて暫定的に転舵制御が継続されるため、操舵途中で突然転舵力が消失してしまうという不具合が無く、ドライバーにハンドル操作ショックを与えることが無い。このため、運転操作性と安全性が向上する。
尚、一連の転舵動作の終了検出は、例えば、操舵ハンドルの中立位置検出や荷重センサの検出荷重量が略ゼロにまで低下したことを検出すること等により行うことができる。
【発明を実施するための最良の形態】
【００１８】
以下、本発明の電動操舵装置の一実施形態として、電動パワーステアリング装置について図面を用いて説明する。図１は、同実施形態に係る電動パワーステアリング装置を概略的に示している。
【００１９】
この電動パワーステアリング装置は、大別すると、操舵ハンドル１１の回転操作により転舵輪を転舵する転舵機構１０と、転舵機構に転舵アシスト力を付与する電動アクチュエータ２０と、電動アクチュエータ２０を駆動制御するアシスト制御装置４０とから構成される。
【００２０】
転舵機構１０は、主要部としてラックバー１４、ラックアンドピニオン機構１３、タイロッド１４、ナックルアーム１７から成り、操舵ハンドル１１の回動操作に連動したステアリングシャフト１２の軸線周りの回転をラックアンドピニオン機構１３によりラックバー１４の軸線方向の運動に変換するように構成される。このラックバー１４の左右両端には、それぞれタイロッド１５がボールジョイント１６を介して回動可能に連結され、さらにタイロッド１５の他端には左右前輪ＦＷ１，ＦＷ２に固定されたナックルアーム１７が連結ピン１８を介して連結される。
従って、左右前輪ＦＷ１、ＦＷ２は、ドライバーが操舵ハンドル１１を回転操作すると、ステアリングシャフト１２の軸線回りの回転に伴うラックバー１４の軸線方向の変位により左右に転舵される。
【００２１】
この転舵機構１０には、転舵アシスト力を付与する電動アクチュエータとして電動モータ２０が設けられる。電動モータ２０は、その回転に応じてボールねじ機構２１を介してラックバー１４を軸線方向に駆動することにより、操舵ハンドル１１の回動操作に対してアシスト力を付与する。電動モータ２０には、その回転子の回転位置を検出する回転角センサ２２が設けられる。この回転角センサ２２は、レゾルバにより構成される。
また、左右のタイロッド１５には、左前輪ＦＷ１からラックバー１４に加わる荷重を検出する左荷重センサ３０Ｌと、右前輪ＦＷ２からラックバー１４に加わる荷重を検出する右荷重センサ３０Ｒとが設けられる。
【００２２】
アシスト制御装置４０は、電動モータ２０を駆動制御して所望の転舵アシストトルクを発生させるもので、左右の荷重センサ３０Ｌ，３０Ｒの検出信号から高周波成分を除去するローパスフィルタ（ＬＰＦ）４１と、ローパスフィルタ４１により高周波成分が除去された荷重センサ信号にもとづいて電動モータ２０への通電量を演算する電子制御装置４２と、電子制御装置４２からのモータ制御信号により電動モータ２０を駆動するモータ駆動回路４３とから構成される。
本実施形態においては、電動モータ２０としてＤＣブラシレスモータを用い、モータ駆動回路４３として設けたインバータ回路により３相駆動電流を電動モータ２０に流すように構成される。
また、ローパスフィルタ４１は、悪路走行時等に入力される路面からの外乱の影響を受けないようにするために設けられる。
【００２３】
電子制御装置４２は、主要部をマイクロコンピュータにより構成されるもので、その機能から分類すると、２つの荷重センサ３０Ｌ、３０Ｒからのセンサ信号に基づいてラックバー１４に働く軸力（以下、ラック軸力と呼ぶ）を演算する軸力演算部４２ａと、軸力演算部４２ａにて演算された軸力に基づいて転舵アシスト制御量となる電動モータ２０の通電量を演算するアシスト演算部４２ｂと、２つの荷重センサ３０Ｌ、３０Ｒからのセンサ信号に基づいて荷重センサ３０Ｌ，３０Ｒ自身の異常を検出する異常検出部と４３ｃとから構成される。
【００２４】
ここで、アシスト制御装置４０の行う通常の転舵アシスト制御について、図６に示したフローチャートに基づいて説明する。
図６は、転舵アシスト制御ルーチンを表すもので、電子制御装置４２内の記憶素子内に制御プログラムとして記憶され、所定の短い周期で繰り返し実行される。
本制御ルーチンは、イグニッションスイッチのオン動作により起動する。
本制御ルーチンが起動すると、まず軸力演算部４２ａが、左荷重センサ３０Ｌにより検出された荷重Ｆ１と、右荷重センサ３０Ｒにより検出された荷重Ｆ２とからラック軸力Ｆｘを次式により算出する（Ｓ１）。
Ｆｘ＝Ｆ１−Ｆ２
この場合、各荷重センサ３０Ｌ，３０Ｒにて検出された荷重Ｆ１，Ｆ２は、圧縮方向に荷重が加わった場合は正の値を、引っ張り方向に荷重が加わった場合は負の値をとるものとする。
【００２５】
例えば、操舵ハンドル１１が中立位置にあれば、左右の荷重センサ３０Ｌ、３０Ｒには荷重が働かないためセンサ出力は０となるが、操舵ハンドル１１が右方向に操舵された場合、左荷重センサ３０Ｌには圧縮方向の荷重が働いてそのセンサ出力Ｆ１は正の値となり（図１５（Ａ）参照）、右荷重センサ３０Ｒには引っ張り方向の荷重が働いてそのセンサ出力Ｆ２は負の値となる（図１５（Ｂ）参照）。逆に、操舵ハンドル１１が中立位置から左方向に操舵された場合、左荷重センサ３０Ｌには引っ張り方向の荷重が働いてそのセンサ出力Ｆ１は負の値となり、右荷重センサ３０Ｒには圧縮方向の荷重が働いてそのセンサ出力Ｆ２は正の値となる。
【００２６】
そして、アシスト演算部４２ｂは、この算出されたラック軸力Ｆｘ（＝Ｆ１−Ｆ２）と、図７に示すアシスト電流算出マップとから、軸力Ｆｘに対応した必要アシスト電流Ｉａｓｉを算出する（Ｓ２）。
続いて、算出した必要アシスト電流Ｉａｓｉを電動モータ２０に通電する（Ｓ３）。つまり、電動モータ２０に流れる電流が、ラック軸力Ｆｘに応じて設定された必要アシスト電流Ｉａｓｉとなるようにモータ駆動回路４３のインバータを駆動制御する。
この結果、ラック軸力Ｆｘに応じた最適な転舵アシストトルクが働いて、ドライバーにとって良好な操舵フィーリングが得られる。
尚、図７において、必要アシスト電流Ｉａｓｉの正負は、電動モータ２０の回転方向を表す。
【００２７】
こうしたアシスト制御を行うにあたって、左右の荷重センサ３０Ｌ，３０Ｒが故障した場合には、正しいアシストトルクが得られず、場合によっては意図しないステアリング動作を生じる可能性もある。
そこで、アシスト制御装置４０の電子制御装置４２は、荷重センサ３０Ｌ，３０Ｒの異常を検出する異常検出部４２ｃを有する。以下、電子制御装置４２の異常検出部４２ｃが実施する異常検出処理について説明する。
【００２８】
図２は、第１実施形態としての異常検出制御ルーチンを表すもので、電子制御装置４２内の記憶素子内に制御プログラムとして記憶され、所定の短い周期で繰り返し実行される。
本制御ルーチンは、イグニッションスイッチのオン動作により起動し、上述した転舵アシスト制御処理と並行して行われる。
本制御ルーチンが起動すると、まず、ステップＳ１１において、左右の荷重センサ３０Ｌ、３０Ｒからのセンサ出力Ｆ１、Ｆ２（検出荷重量）を読み込む。続いて、所定時間内における左荷重センサ３０Ｌのセンサ出力Ｆ１の変化量ΔＦ１（最大値−最小値）を算出し、この変化量ΔＦ１が所定の閾値ＴＨ１以上あるか否かを判断する（Ｓ１２）。
尚、本制御ルーチンの起動時のように、変化量ΔＦ１を求めるための所定時間が経過していない場合には、ステップＳ１２〜Ｓ１５の判断を飛ばして、暫定的に正常であると判定する（Ｓ１６）。
【００２９】
ステップＳ１２における判断が「ＹＥＳ」、つまり、センサ出力Ｆ１の変化量ΔＦ１が閾値ＴＨ１以上であれば、更に、その所定時間内における右荷重センサ３０Ｒのセンサ出力Ｆ２の変化量ΔＦ２（最大値−最小値）を算出し、この変化量ΔＦ２が所定の閾値ＴＨ２以上であるか否かを判断する（Ｓ１３）。
そして、このステップＳ１３において「ＮＯ」と判断された場合には、左右の荷重センサ３０Ｌ（Ｒ）のいずれか一方が異常であると判定する（Ｓ１７）。
【００３０】
つまり、このステップＳ１２，Ｓ１３、Ｓ１７の処理は、左荷重センサ３０Ｌのセンサ出力Ｆ１の変化量ΔＦ１が所定の閾値ＴＨ１以上あれば、他方の右荷重センサ３０Ｒのセンサ出力Ｆ２の変化量ΔＦ２は所定の閾値ＴＨ２以上あるはずであるとして、この条件を満たさない場合には、左右いずれか一方の荷重センサ３０Ｌ（Ｒ）が異常であると判定する。
また、ステップＳ１２，１３で異常と判断されなかった場合（Ｓ１２：ＹＥＳ，Ｓ１３：ＹＥＳ）、あるいは、ステップＳ１２において変化量ΔＦ１が閾値ＴＨ１未満であった場合には、次に、ステップＳ１４、Ｓ１５の判断を行う。
【００３１】
このステップＳ１４，１５は、ステップＳ１２，１３において各閾値ＴＨ１、ＴＨ２と比較するセンサ出力の変化量ΔＦ１、ΔＦ２を入れ替えたものである。具体的には、ステップＳ１４において、所定時間内における右荷重センサ３０Ｒのセンサ出力Ｆ２の変化量ΔＦ２が所定の閾値ＴＨ１以上あるか否かを判断し、「ＹＥＳ」と判断された場合には、さらにステップＳ１５において、所定時間内における左荷重センサ３０Ｌのセンサ出力の変化量ΔＦ１が閾値ＴＨ２以上であるか否かを判断する。
そして、ステップＳ１５において「ＮＯ」と判断された場合には、左右の荷重センサ３０Ｌ（Ｒ）のいずれか一方が異常であると判定する（Ｓ１７）。
【００３２】
一方、ステップＳ１５で異常と判断されなかった場合（Ｓ１４：ＹＥＳ、Ｓ１５：ＹＥＳ）、あるいは、ステップＳ１４において変化量ΔＦ２が閾値ＴＨ１未満であった場合には、左右の荷重センサ３０Ｌ、３０Ｒは正常であると判定する（Ｓ１６）。
尚、本実施形態および後述の他の実施形態において表現する「正常判定」とは、センサ異常が検出されなかったことを意味するものである。
【００３３】
こうした異常検出制御ルーチンは、転舵アシスト制御処理と並行して所定の周期で繰り返し実施され、センサ異常が検出された場合には、転舵アシスト制御を停止するように指令される。
【００３４】
以上説明した第１実施形態としての異常検出制御処理によれば、左右の荷重センサ３０Ｌ、３０Ｒの所定時間内におけるセンサ出力変化量ΔＦ１、ΔＦ２を比べることにより、その出力変化量に大きな差がある場合には、いずれか一方の荷重センサ３０Ｌ（Ｒ）が異常であると判定する。
例えば、一方の荷重センサ３０Ｌ（Ｒ）のセンサ出力Ｆ１（Ｆ２）が所定量以上変動しているにもかかわらず、他方の荷重センサ３０Ｌ（Ｒ）のセンサ出力Ｆ１（Ｆ２）が固定されている場合には異常判定がなされる。
従って、極めて簡単にセンサ異常を検出することができ、電動パワーステアリング装置の安全性、信頼性が向上する。
また、ステップＳ１２〜１３とステップＳ１４〜１５とでセンサ出力の変化量ΔＦ１，ΔＦ２を入れ替えて閾値ＴＨ１，ＴＨ２と比較しているため、一方の荷重センサ３０Ｌ（Ｒ）のセンサ出力がゼロに固定されるような異常が生じても、その異常を検出することができ、検出精度が高い。
【００３５】
次に、第２実施形態としての異常検出制御について説明する。
図３は、第２実施形態としての異常検出制御ルーチンを表すもので、電子制御装置４２内の記憶素子内に制御プログラムとして記憶され、所定の短い周期で繰り返し実行される。
本制御ルーチンは、イグニッションスイッチのオン動作により起動し、上述した転舵アシスト制御処理と並行して行われる。
本制御ルーチンが起動すると、まず、左右の荷重センサ３０Ｌ、３０Ｒからのセンサ出力Ｆ１、Ｆ２を読み込む（Ｓ２１）。続いて、左荷重センサ３０Ｌのセンサ出力Ｆ１が正の値であるか否かを判断する（Ｓ２２）。左荷重センサ３０Ｌのセンサ出力Ｆ１が正の値であれば、続いて、右荷重センサ３０Ｒのセンサ出力Ｆ２が負の値であるか否かを判断する（Ｓ２３）。
【００３６】
そして、右荷重センサ３０Ｒのセンサ出力Ｆ２が負の値であれば（Ｓ２３：ＹＥＳ）、左右の荷重センサ３０Ｌ、３０Ｒは正常であると判定する（Ｓ２４）。逆に、右荷重センサ３０Ｒのセンサ出力が負の値でなければ（Ｓ２３：ＮＯ）、左右の荷重センサ３０Ｌ、３０Ｒのいずれか一方は異常であると判定する（Ｓ２６）。
つまり、左右の荷重センサ３０Ｒ，３０Ｌが正常であれば、そのセンサ出力Ｆ１、Ｆ２の値は、正負（プラスマイナス）が逆になるはずであるため、その正負の関係をチェックすることでセンサ異常を検出する。
【００３７】
同様に、ステップＳ２２において左荷重センサ３０Ｌのセンサ出力Ｆ１が正の値でない場合には（Ｓ２２：ＮＯ）、ステップＳ２５に進み、右荷重センサ３０Ｒのセンサ出力Ｆ２が負であるか否かを判断する。そして、センサ出力Ｆ２が負の値であれば、両センサ出力Ｆ１，Ｆ２が負の値となるため、左右の荷重センサ３０Ｌ、３０Ｒのいずれか一方は異常であると判定する（Ｓ２６）。また、ステップＳ２５において、センサ出力Ｆ２が負の値でなければ、両センサ出力Ｆ１，Ｆ２が正負の異なる値となるため、左右の荷重センサ３０Ｌ、３０Ｒは正常であると判定する（Ｓ２４）。
【００３８】
こうした異常検出制御ルーチンは、転舵アシスト制御処理と並行して所定の周期で繰り返し実施され、センサ異常が検出された場合には、転舵アシスト制御を停止するように指令される。
【００３９】
以上説明した第２実施形態としての異常検出制御処理によれば、左右の荷重センサ３０Ｌ、３０Ｒのセンサ出力Ｆ１，Ｆ２の正負の関係を比較し、両方とも正あるいは負の値であれば、いずれか一方の荷重センサ３０Ｌ（Ｒ）が異常であると判定する。従って、極めて簡単にセンサ異常を検出することができ、電動パワーステアリング装置の安全性、信頼性が向上する。
尚、ステップＳ２２，Ｓ２３，Ｓ２５においては、センサ出力Ｆ１，Ｆ２と出力値「０」との比較判断をしているが、検出誤差等を加味して、所定値Ｆ０との比較であってもよい。例えば、ステップＳ２２においては、正の値となる所定値Ｆ０を用いて「Ｆ１＞Ｆ０？」といった比較を行い、ステップＳ２３，Ｓ２５においては、負の値となる所定値Ｆ０を用いて「Ｆ２＜Ｆ０？」といった比較を行えばよい。
【００４０】
次に、第３実施形態としての異常検出制御について説明する。
図４は、第３実施形態としての異常検出制御ルーチンを表すもので、電子制御装置４２内の記憶素子内に制御プログラムとして記憶され、所定の短い周期で繰り返し実行される。
本制御ルーチンは、イグニッションスイッチのオン動作により起動し、上述した転舵アシスト制御処理と並行して行われる。
本制御ルーチンが起動すると、まず、左右の荷重センサ３０Ｌ、３０Ｒからのセンサ出力Ｆ１、Ｆ２を読み込む（Ｓ３１）。続いて、右荷重センサ３０Ｒのセンサ出力Ｆ２の絶対値｜Ｆ２｜に対する左荷重センサ３０Ｌのセンサ出力Ｆ１の絶対値｜Ｆ１｜の比（｜Ｆ１｜／｜Ｆ２｜）を算出し、その比が所定の基準倍率Ａ以上あるか否かを判断する（Ｓ３２）。そして、ステップＳ３２において「ＹＥＳ」、つまり、右荷重センサ３０Ｒにて検出した検出荷重量の絶対値｜Ｆ２｜に対する左荷重センサ３０Ｌにて検出した検出荷重量の絶対値｜Ｆ１｜の比（｜Ｆ１｜／｜Ｆ２｜）が基準倍率Ａ以上であれば、左右の荷重センサ３０Ｌ、３０Ｒのいずれか一方は異常であると判定する（Ｓ３５）。
【００４１】
一般に、左右の荷重センサ３０Ｌ，３０Ｒが正常であれば、そのセンサ出力Ｆ１、Ｆ２の値は正負が逆になるものの絶対値はあまり大きく相違しない。そこで、両センサ出力Ｆ１，Ｆ２の絶対値を比較することにより、荷重センサ３０Ｌ，３０Ｒの異常を判定するのである。
【００４２】
ステップＳ３２において「ＮＯ」、つまり、右荷重センサ３０Ｒのセンサ出力Ｆ２の絶対値｜Ｆ２｜に対する左荷重センサ３０Ｌのセンサ出力Ｆ１の絶対値｜Ｆ１｜の比（｜Ｆ１｜／｜Ｆ２｜）が基準倍率Ａ未満であれば、今度は、ステップＳ３３において、左荷重センサ３０Ｌのセンサ出力Ｆ１の絶対値｜Ｆ１｜に対する右荷重センサ３０Ｒのセンサ出力Ｆ２の絶対値｜Ｆ２｜の比（｜Ｆ２｜／｜Ｆ１｜）を算出し、その比が基準倍率Ａ以上であるか否かを判断する。
【００４３】
そして、ステップＳ３３において「ＮＯ」と判断された場合には、左右の荷重センサ３０Ｌ，３０Ｒは正常であると判定する（Ｓ３４）。一方、ステップＳ３３において「ＹＥＳ」と判断された場合には、左右の荷重センサ３０Ｌ、３０Ｒのセンサ出力値Ｆ１，Ｆ２の絶対値が大きく相違するとして、左右の荷重センサ３０Ｌ、３０Ｒのいずれか一方は異常であると判定する（Ｓ３５）。
【００４４】
こうした異常検出制御ルーチンは、転舵アシスト制御処理と並行して所定の周期で繰り返し実施され、センサ異常が検出された場合には、転舵アシスト制御を停止するように指令される。
【００４５】
以上説明した第３実施形態としての異常検出制御処理によれば、左右の荷重センサ３０Ｌ、３０Ｒのセンサ出力Ｆ１，Ｆ２の大きさ（絶対値）の比を算出し、この比が基準倍率Ａ以上である場合には、いずれか一方の荷重センサ３０Ｌ（Ｒ）が異常であると判定する。従って、極めて簡単にセンサ異常を検出することができ、電動パワーステアリング装置の安全性、信頼性が向上する。
【００４６】
次に、第４実施形態としての異常検出制御について説明する。
図５は、第４実施形態としての異常検出制御ルーチンを表すもので、電子制御装置４２内の記憶素子内に制御プログラムとして記憶され、所定の短い周期で繰り返し実行される。
本制御ルーチンは、イグニッションスイッチのオン動作により起動し、上述した転舵アシスト制御処理と並行して行われる。
尚、この実施形態においては、図１に破線で示すように、ヨーレイトセンサ５０の信号を電子制御装置４２の異常検出部４２ｃに入力するように構成されている。
【００４７】
本制御ルーチンが起動すると、まず、左右の荷重センサ３０Ｌ、３０Ｒからのセンサ出力Ｆ１、Ｆ２を読み込む（Ｓ４１）。続いて、ヨーレイトセンサ５０のセンサ信号、つまり車両回転角速度を表すヨーレイトγを読み込む（Ｓ４２）。そして、ヨーレイトγの値が０か否か、つまり、車両が旋回運動中か否かを判断し、γ＝０であれば（Ｓ４３：ＹＥＳ）左荷重センサ３０Ｌのセンサ出力Ｆ１の絶対値｜Ｆ１｜が所定値Ｆ０より小さいか否かを判断する（Ｓ４４）。このステップＳ４４において「ＮＯ」、つまり、｜Ｆ１｜≧Ｆ０と判断された場合には、左荷重センサ３０Ｌが異常であると判定する（Ｓ４５）。
【００４８】
また、ステップＳ４４において、「ＹＥＳ」、つまり、｜Ｆ１｜＜Ｆ０である場合には、次に、右荷重センサ３０Ｒのセンサ出力Ｆ２の絶対値｜Ｆ２｜が所定値Ｆ０より小さいか否かを判断する（Ｓ４６）。このステップＳ４６において「ＮＯ」、つまり、｜Ｆ２｜≧Ｆ０と判断された場合には、右荷重センサ３０Ｒが異常であると判定する（Ｓ４７）。
つまり、このステップＳ４４〜Ｓ４７の処理は、ヨーレイトγが０であれば、本来なら左右の荷重センサ３０Ｒ、３０Ｌのセンサ出力Ｆ１、Ｆ２は０あるいは微小な値となるが、それに反してセンサ出力｜Ｆ１｜、｜Ｆ２｜が所定値Ｆ０より大きな値をとる場合には、その荷重センサ３０Ｌ（Ｒ）が異常であると判定するのである。従って、所定値Ｆ０は、小さな正の値に設定される。
【００４９】
一方、ステップＳ４３において、ヨーレイトγの出力が０でないと判断された場合には、次に、ヨーレイトγから車両の回転が右方向か否かを判断する（Ｓ４８）。そして、ステップＳ４８の判断が「ＹＥＳ」、つまり車両が右方向に回転中であれば、続いて、左荷重センサ３０Ｌのセンサ出力Ｆ１が正の値か否かを判断し（Ｓ４９）、センサ出力Ｆ１が負の値あるいは０であれば（Ｓ４９：ＮＯ）、左荷重センサ３０Ｌが異常であると判定する（Ｓ５０）。
また、ステップＳ４９において、「ＹＥＳ」、つまり、Ｆ１＞０である場合には、次に右荷重センサ３０Ｒのセンサ出力Ｆ２が負の値か否かを判断し（Ｓ５１）、センサ出力Ｆ２が正の値あるいは０であれば（Ｓ５１：ＮＯ）、右荷重センサ３０Ｒが異常であると判定する（Ｓ５２）。
つまり、このステップＳ４９〜Ｓ５２の処理は、車両が右方向に回転している場合には、本来なら左荷重センサ３０Ｌのセンサ出力Ｆ１は正の値をとり、右荷重センサ３０Ｒのセンサ出力Ｆ２は負の値をとるが、その逆になる場合には、その荷重センサ３０Ｌ（Ｒ）が異常であると判定するのである。
【００５０】
一方、ステップＳ４８の判断が「ＮＯ」、つまり、車両が左方向に回転している場合には、ステップＳ５３の判断に進み、左荷重センサ３０Ｌのセンサ出力Ｆ１が負の値か否かを判断し、センサ出力Ｆ１が正の値あるいは０であれば（Ｓ５３：ＮＯ）、左荷重センサ３０Ｌが異常であると判定する（Ｓ５４）。
また、ステップＳ５３において、「ＹＥＳ」、つまり、Ｆ１＜０である場合には、次に右荷重センサ３０Ｒのセンサ出力Ｆ２が正の値か否かを判断し（Ｓ５５）、センサ出力Ｆ２が負の値あるいは０であれば（Ｓ５５：ＮＯ）、右荷重センサ３０Ｒが異常であると判定する（Ｓ５６）。
【００５１】
つまり、このステップＳ５３〜Ｓ５６の処理は、車両が左方向に回転している場合には、本来なら左荷重センサ３０Ｌのセンサ出力Ｆ１は負の値をとり、右荷重センサ３０Ｒのセンサ出力Ｆ２は正の値をとるが、その逆になる場合には、その荷重センサ３０Ｌ（Ｒ）が異常であると判定するのである。
【００５２】
こうして車両の旋回状態に応じて左右の荷重センサ３０Ｌ、３０Ｒの異常チェックが行われたのち、各ステップにおいて異常が検出されなかった場合には正常判定（Ｓ５８）が、いずれかのステップにおいて異常が検出された場合には異常判定（Ｓ５９）がなされる。
【００５３】
そして、異常判定がなされた場合には、並行して行われている操舵アシスト制御を停止する、あるいは、異常時用の転舵アシスト制御に切り替える。
【００５４】
以上説明した第４実施形態としての異常検出制御処理によれば、車両の旋回挙動状態に基づいて左右の荷重センサ３０Ｌ、３０Ｒのセンサ出力の大きさや符号（正負）をチェックすることにより、異常となる荷重センサ３０Ｌ（Ｒ）を特定して検出することができる。つまり、左右のどちら側の荷重センサ３０Ｌ（Ｒ）が異常であるかを判定することができる。この結果、異常処理の対応が容易となり、電動パワーステアリング装置の安全性と信頼性とが一層向上する。しかも、車両走行制御に一般的に使われているヨーレイトセンサ５０のセンサ信号を利用しているため、構成が大掛かりとならず低コストにて実施できる。
【００５５】
尚、この第４実施形態において車両の旋回挙動をヨーレイトセンサ５０により検出しているが、これに代えて、例えば、ステアリングシャフト１２の回転角度を検出する操舵角センサ５１（図１に破線にて示す）の回転角信号を入力し、ステップＳ４３において操舵角度θが０か否かの判断をするとともに、ステップＳ４８において操舵方向が右方向か否かを判断するようにすればよい。
また、他の例として、車両の横加速度を検出する横加速度センサ５２（図１に破線にて示す）の横加速度信号を入力し、ステップＳ４３において横加速度Ｇが０か否かの判断をするとともに、ステップＳ４８においては、横加速度Ｇが右方向に働いているか否かを判断するようにすればよい。
【００５６】
次に、荷重センサ３０Ｌ（Ｒ）の異常が検出されたときの転舵アシスト制御について、いくつかの実施形態を説明する。
尚、以下説明する異常時アシスト制御においては、異常となる荷重センサ３０Ｌ（Ｒ）が特定される場合での制御である。
図８は、電子制御装置４２が実行する第１実施形態としての異常時アシスト制御ルーチンを表すもので、電子制御装置４２内の記憶素子内に制御プログラムとして記憶され、所定の短い周期で繰り返し実行される。
【００５７】
本制御ルーチンが起動すると、まず、左右どちらの荷重センサ３０Ｌ（Ｒ）が異常と判定されているかを判断し（Ｓ５１）、右荷重センサ３０Ｒが異常であると判定されている場合には、ラック軸力Ｆｘを算出するに当たり、右荷重センサ３０Ｒの検出荷重（センサ出力）Ｆ２を０（ゼロ）に固定し、左荷重センサ３０Ｌの検出荷重Ｆ１のみを用いてラック軸力Ｆｘを
Ｆｘ＝Ｆ１
として算出する（Ｓ５２）。
また、左荷重センサ３０Ｌが異常であると判定されている場合には、左荷重センサ３０Ｌの検出荷重（センサ出力）Ｆ１を０（ゼロ）に固定し、右荷重センサ３０Ｒの検出荷重Ｆ２のみを用いてラック軸力Ｆｘを
Ｆｘ＝−Ｆ２
として算出する（Ｓ５３）。
【００５８】
ステップＳ５２あるいはステップＳ５３によりラック軸力Ｆｘが算出されると、このラック軸力Ｆｘと図７に示すアシスト電流算出マップとから、ラック軸力Ｆｘに対応した必要アシスト電流Ｉａｓｉを算出し（Ｓ５４）、算出した必要アシスト電流Ｉａｓｉを電動モータ２０に通電する（Ｓ５５）。つまり、電動モータ２０に流れる電流が、ラック軸力Ｆｘに応じて設定された必要アシスト電流Ｉａｓｉとなるようにモータ駆動回路４３のインバータを駆動制御する。
また、ステップＳ５１において左右両方の荷重センサ３０Ｌ、３０Ｒが異常であると判定される場合には、転舵アシスト制御を停止する（Ｓ５６）。
【００５９】
以上説明した第１実施形態の異常時アシスト制御ルーチンによれば、正常側（異常が検出されていない側）の荷重センサ３０Ｌ（Ｒ）に基づいて転舵アシスト制御を行うため、センサ異常時であってもある程度のアシストトルクが得られ、ドライバーのハンドル操作負担が軽くなる。また、アシストトルクが正常時の約半分程度になるため、電動パワーステアリング装置の異常をドライバーに認識させることができる。この結果、安全性と運転操作性とを両立させることができる。
【００６０】
次に、第２実施形態としての異常時アシスト制御処理について説明する。
図９は、電子制御装置４２が実行する第２実施形態としての異常時アシスト制御ルーチンを表すもので、電子制御装置４２内の記憶素子内に制御プログラムとして記憶され、所定の短い周期で繰り返し実行される。
【００６１】
本制御ルーチンが起動すると、まず、左右どちらの荷重センサ３０Ｌ（Ｒ）が異常と判定されているかを判断し（Ｓ６１）、右荷重センサ３０Ｒが異常であると判定されている場合には、図１０（Ａ）に示す左用アシスト電流算出マップを参照して、左荷重センサ３０Ｌの検出荷重Ｆ１から必要アシスト電流Ｉａｓｉを算出する（Ｓ６２）。
逆に、左荷重センサ３０Ｌが異常であると判定されている場合には、図１０（Ｂ）に示す右用アシスト電流算出マップを参照して、右荷重センサ３０Ｒの検出荷重Ｆ２から必要アシスト電流Ｉａｓｉを算出する（Ｓ６３）。この左右のアシスト電流算出マップは、予めセンサ異常時でのアシスト制御用として、電子制御装置４２の記憶素子内に記憶されている。
【００６２】
続いて、ステップＳ６２あるいはステップＳ６３にて算出した必要アシスト電流Ｉａｓｉが電動モータ２０に通電されるようにモータ駆動回路４３に通電制御信号を出力して電動モータを駆動する（Ｓ６４）。
また、ステップＳ６１において左右両方の荷重センサ３０Ｌ、３０Ｒが異常であると判定される場合には、転舵アシスト制御を停止する（Ｓ６５）。
【００６３】
以上説明した第２実施形態の異常時アシスト制御ルーチンによれば、センサ異常用に予め記憶したアシスト電流算出マップを用いて電動モータ２０を駆動制御するため、センサ異常時に適したアシストトルクを自由に設定することができ、最適な異常時アシスト制御を行うことができる。従って、安全性と運転操作性とを両立させることができる。
【００６４】
次に、第３実施形態としての異常時アシスト制御処理について説明する。
図１１は、電子制御装置４２が実行する第３実施形態としての異常時アシスト制御ルーチンを表すもので、電子制御装置４２内の記憶素子内に制御プログラムとして記憶され、所定の短い周期で繰り返し実行される。
【００６５】
本制御ルーチンが起動すると、まず、左右どちらの荷重センサ３０Ｌ（Ｒ）が異常と判定されているかを判断し（Ｓ７１）、右荷重センサ３０Ｒが異常であると判定されている場合には、図１２（Ａ）に示す左用ラック軸力算出マップを参照して、左荷重センサ３０Ｌの検出荷重Ｆ１からラック軸力Ｆｘを算出する（Ｓ７２）。
逆に、左荷重センサ３０Ｌが異常であると判定されている場合には、図１２（Ｂ）に示す右用ラック軸力算出マップを参照して、右荷重センサ３０Ｒの検出荷重Ｆ２からラック軸力Ｆｘを算出する（Ｓ７３）。この左右のラック軸力算出マップは、予め電子制御装置４２の記憶素子内に記憶されている。
【００６６】
ステップＳ７２あるいはステップＳ７３によりラック軸力Ｆｘが算出されると、このラック軸力Ｆｘと図７に示すアシスト電流算出マップとから、軸力Ｆｘに対応した必要アシスト電流Ｉａｓｉを算出し（Ｓ７４）、算出した必要アシスト電流Ｉａｓｉが電動モータ２０に通電されるようにモータ駆動回路４３に通電制御信号を出力して電動モータを駆動する（Ｓ７５）。
また、ステップＳ７１において左右両方の荷重センサ３０Ｌ、３０Ｒが異常であると判定される場合には、転舵アシスト制御を停止する（Ｓ７６）。
【００６７】
以上説明した第３実施形態の異常時アシスト制御ルーチンによれば、左右独立したラック軸力算出マップを用いて電動モータ２０を駆動制御するため、センサ異常時であっても異常センサ出力に影響されないアシストトルクが得られ、安全性と運転操作性とを両立させることができる。
【００６８】
次に、異常時アシスト制御ルーチンの変形例について説明する。
上述した異常時アシスト制御においては、片側の荷重センサ３０Ｌ（Ｒ）の異常を検出したときには暫定的にアシスト制御を行って運転操作性を確保したが、安全性の観点からはアシスト制御を終了した方が好ましい場合もある。
【００６９】
そこで、この変形例１では、図１３に示すように、異常時アシスト制御（Ｓ１００）が開始されてからの経過時間を計測し（Ｓ８１）、その経過時間が予め設定された基準時間ｔ０となったときに（Ｓ８１：ＹＥＳ）そのアシスト制御を終了するようにしている。
尚、このステップＳ１００における異常時アシスト制御は、例えば、上述した第１〜第３実施形態の任意の異常時アシスト制御処理に相当するものである。
【００７０】
また、別の変形例２として、図１４に示すように、異常時アシスト制御（Ｓ１００）が開始された後は、異常と判定されていない側の荷重センサ３０Ｌ（Ｒ）のセンサ出力が０（ゼロ）になった時点でそのアシスト制御を終了する。具体的には、右荷重センサ３０Ｒが異常であれば、左荷重センサ３０Ｌのセンサ出力Ｆ１が０になって時点でアシスト制御を終了する。また、左荷重センサ３０Ｌが異常であれば、右荷重センサ３０Ｒのセンサ出力Ｆ２が０になった時点でアシスト制御を終了する。
【００７１】
つまり、異常時アシスト制御が開始されたのち、一連の操舵操作が終了して操舵ハンドル１１の位置が中立位置になったときに、このアシスト制御を終了するのである。
従って、ハンドル操作途中で、アシスト力が急変することがないため、ドライバーに対して操舵操作ショックを与えない。
【００７２】
以上、本実施形態の電動操舵装置について説明したが、本発明は上記実施形態に限定されるものではなく、本発明の目的を逸脱しない限りにおいて種々の変更が可能である。
【００７３】
例えば、荷重センサの取付位置は、タイロッド１５に限らず、左右のナックルアーム１７や、ラックバー１４の左右両側等、ハンドル操舵力により左右動する左右動軸体のラックギヤ機構１３を挟んでその左右両側であればどこであってもよい。
また、本実施形態においては電動パワーステアリング装置に適用したが、ステア・バイ・ワイヤ式操舵装置に適用したものであってもよい。
【図面の簡単な説明】
【００７４】
【図１】本発明の実施形態に係る電動パワーステアリング装置の概略構成図である。
【図２】第１実施形態の異常検出制御ルーチンを表すフローチャートである。
【図３】第２実施形態の異常検出制御ルーチンを表すフローチャートである。
【図４】第３実施形態の異常検出制御ルーチンを表すフローチャートである。
【図５】第４実施形態の異常検出制御ルーチンを表すフローチャートである。
【図６】転舵アシスト制御ルーチンを表すフローチャートである。
【図７】アシスト電流算出マップの説明図である。
【図８】第１実施形態の異常時アシスト制御ルーチンを表すフローチャートである。
【図９】第２実施形態の異常時アシスト制御ルーチンを表すフローチャートである。
【図１０】アシスト電流算出マップの説明図である。
【図１１】第３実施形態の異常時アシスト制御ルーチンを表すフローチャートである。
【図１２】ラック軸力算出マップの説明図である。
【図１３】変形例１としての異常時アシスト制御ルーチンを表すフローチャートである。
【図１４】変形例２としての異常時アシスト制御ルーチンを表すフローチャートである。
【図１５】操舵角に応じた左右の荷重センサ出力およびラック軸力を表す説明図である。
【符号の説明】
【００７５】
１０…転舵機構、１１…操舵ハンドル、１２…ステアリングシャフト、１４…ラックバー、１５…タイロッド、２０…電動モータ（電動アクチュエータ）、３０Ｌ…左荷重センサ、３０Ｒ…右荷重センサ、４０…アシスト制御装置、４１…ローパスフィルタ、４２…電子制御装置、４２ａ…軸力演算部、４２ｂ…アシスト演算部、４２ｃ…異常検出部、４３…モータ駆動回路、５０…ヨーレイトセンサ、５１…操舵角センサ、５２…横加速度センサ。
【図１】
2007145040.tif 000003
【図２】
2007145040.tif 000004
【図３】
2007145040.tif 000005
【図４】
2007145040.tif 000006
【図５】
2007145040.tif 000007
【図６】
2007145040.tif 000008
【図７】
2007145040.tif 000009
【図８】
2007145040.tif 000010
【図９】
2007145040.tif 000011
【図１０】
2007145040.tif 000012
【図１１】
2007145040.tif 000013
【図１２】
2007145040.tif 000014
【図１３】
2007145040.tif 000015
【図１４】
2007145040.tif 000016
【図１５】
2007145040.tif 000017